(57)【特許請求の範囲】
【請求項１】
低圧電路のうちの異なる場所に取り付けられた複数の記録計を備えた測定システムであって、
前記各記録計と双方向の無線通信が可能に構成され、かつ、内部時計を有する端末装置を含み、
前記各記録計は、
電源周波数に基づいて時刻を刻む周波数時計と、
前記取付場所の電圧及び電流の少なくとも一方を測定する測定部と、
データを記憶する記憶部と、
前記測定部で測定された測定データを前記周波数時計の時刻に基づいて所定回数又は所定期間にわたって前記記憶部に記憶させる制御部と、
前記端末装置との間でデータ送受信をする無線通信部とを備え、
前記複数の記録計の周波数時計は、それぞれ、同一電源の電源電圧から抽出された電源周波数に基づいて時刻を刻むように構成され、
前記端末装置が、該内部時計の現在時刻を前記各記録計に無線送信し、
前記各記録計の制御部が、前記無線通信部を介して前記端末装置から受信した前記内部時計の現在時刻を前記周波数時計の時刻に反映し、該反映後に前記周波数時計の時刻に基づいて前記測定部で測定された測定データを前記記憶部に記憶させる
ことを特徴とする測定システム。
【請求項２】
請求項１記載の測定システムにおいて、
前記端末装置は、前記内部時計の現在時刻に加えて、測定開始時刻を前記各記録計に無線送信するように構成されており、
前記記録計の制御部は、前記内部時計の現在時刻を前記周波数時計の時刻に反映した後に、前記測定開始時刻から前記周波数時計の時刻に基づいて前記測定部で測定された測定データを前記記憶部に記憶させる
ことを特徴とする測定システム。
【請求項３】
請求項１または２に記載の測定システムにおいて、
前記端末装置は、
データを表示可能な表示部と、
前記各記録計の測定部で測定された測定データを無線通信で収集し、かつ、前記表示部に対して、前記各記録計の測定データ及び該測定データに基づいて算出された加工データの少なくとも一方である波形データを同一時間軸上に重ねて表示させる端末制御部とを備える
ことを特徴とする測定システム。
【請求項４】
請求項３記載の測定システムにおいて、
前記端末装置の表示部は、
前記波形データを同一時間軸上に重ねて表示可能に構成された第１表示部と、
前記第１表示部に表示させる波形データとは異なる前記波形データを同一時間軸上に重ねて表示可能に構成された第２表示部とを備え、
前記第１表示部と前記第２表示部とは、画面横方向における時刻が揃うように上下方向に並べて配設されている
ことを特徴とする測定システム。
【請求項５】
低圧電路に取り付けられた記録計であって、
電源周波数に基づいて時刻を刻む周波数時計と、
前記取付場所の電圧及び電流の少なくとも一方を測定する測定部と、
データを記憶する記憶部と、
前記測定部で測定された測定データを前記周波数時計の時刻に基づいて所定回数又は所定期間にわたって前記記憶部に記憶させる制御部と、
測定データを収集する端末装置との間でデータの送受信を行う無線通信部を備え、
前記記録計の周波数時計は、前記低圧電路のうちの異なる場所に取り付けられた同じ構成を有する他の記録計と同一電源の電源電圧から抽出された電源周波数に基づいて時刻を刻むように構成され、
前記制御部は、前記無線通信部を介して前記端末装置から該端末装置が有する内部時計の現在時刻を受けた場合に、該現在時刻を前記周波数時計の時刻に反映し、該反映後に前記周波数時計の時刻に基づいて前記測定部で測定された測定データを前記記憶部に記憶させる
ことを特徴とする記録計。
【発明の詳細な説明】
【技術分野】
【０００１】
本発明は、電力量計に接続された配電経路の電圧及び電流の少なくとも一方を測定する記録計及び該記録計を用いた測定システムに関するものである。
【背景技術】
【０００２】
特許文献１には、需要家の電力量計等に仮設して、電圧変動状態及び負荷電流状態を測定、表示及び記録し、配電線路状態を確認できるようにした電圧・電流記録計が開示されている。
【０００３】
近年、太陽光発電等の再生可能エネルギーの家庭への普及に伴い、電力需要者からの出力抑制や電圧等に関する問い合わせが増加しており、該問い合わせに対応するために、特許文献１に開示されたような記録計を用いて、電圧変動状態及び負荷電流状態の測定が長期間（例えば、数日間）にわたって実施される場合がある。
【０００４】
上記測定において、例えば、家庭用の場合、電力需要者の各家庭に設けられた電力量計、引込分岐点及び柱上変圧器等の複数の測定箇所を設定し、各測定箇所に記録計を設置して測定を行う場合がある。その場合、例えば、作業員等の作業者が、測定後にタブレット等の端末装置を用いて各測定箇所の測定データを無線で受信し、その測定データに基づいて作成された表示データを電力需要者に示して説明を行ったりする場合がある。
【０００５】
上述のように複数の測定箇所に設置した記録計からの測定データを取得して、確認、解析等を行う場合、複数の記録計間での時刻のずれがあると、正確な確認、解析等ができなくなるため、測定データの時刻が正確に一致していることが強く望まれている。
【０００６】
一般的な記録計には、ＲＴＣ（Real-Time Clock）回路等に基づく時計装置が設けられているが、部品や回路の製造ばらつき等により、正確に時刻を一致させることが困難であり、例えば、複数の記録計間で数日間に数秒間程度の時刻ずれが発生する場合がある。そこで、各記録計に、ＧＰＳ（Global Positioning System）時計等の無線通信等を用いた時刻補正機能を有する時計を搭載することも考えられるが、コストが高く、障害物等がある環境では時刻情報を高精度に受信できないといった問題がある。
【０００７】
これに対し、例えば、特許文献２には、波形記録装置を複数設置した場合に、各波形記録装置間のサンプリングタイミングを、時間軸上一致させるとともに、一波形記録装置群としてサンプリングデータを記録可能とする波形記録装置及び波形記録方法が開示されている。このものでは、メイン機とサブ機との間を専用ケーブル或いは通信ネットワークで接続し、共通のサンプリング信号を用いて時間軸上のサンプリングタイムを一致させるようにしている。
【０００８】
また、特許文献３には、電子式電力量計等に用いる時計装置として、電源周波数に対応したパルスをカウントして電源同期時計として時刻を刻む装置が開示されている。このものでは、一定周期毎にバックアップ用時計の時刻を周波数時計の時刻に合わせ、パルスが基準電源周期より短い場合（例えば、電源にノイズが混入した場合）に、バックアップ用時計に切り替えることで、時計の進みを防止できるようにしている。
【先行技術文献】
【特許文献】
【０００９】
【特許文献１】特開平７−９２２００号公報
【特許文献２】特許第４６４９３９７号公報
【特許文献３】特開平８−２１８８４号公報
【発明の概要】
【発明が解決しようとする課題】
【００１０】
しかしながら、特許文献２のように、専用ケーブルを介してサンプリング信号を送信する方式の場合、例えば、家庭用の電力量計、引込分岐点及び柱上変圧器の二次側等の各測定箇所間を専用ケーブルで接続する必要があるが、そのような作業を測定毎に（測定箇所が異なる度に）行うのは現実的ではない。また、仮に、通信ネットワークとして、既存の無線通信回線を使用し、該無線通信回線を介してサンプリング信号を送受信するとしても、長期間の測定において、無線通信回線が定常的又は突発的なノイズの影響を受ける場合があり、該測定期間中に複数の記録計の測定時刻がずれてしまう可能性がある。すなわち、継続して正確な時刻一致を図るのは困難な場合がある。
【００１１】
複数の記録計を備えた測定システムのうち、１つの記録計に特許文献３に開示されたような技術を適用し、他の記録計にＲＴＣ回路等に基づく時計が内蔵されていた場合、複数の記録計間で測定時刻の一致をさせるのは困難である。また、仮に複数の記録計すべてに特許文献３に開示されたような技術を適用した場合においても、記録計単体では、所定の周期毎に電源周期が規定の範囲内になるか否かを判定して時刻の補正をすることができる、すなわち、所定期間毎に時計の進みを防止することができるが、複数の記録計間で正確に時刻を一致させることができない場合がある。具体的には、電源周期の判定を行う所定期間中における複数の記録計間の時刻のずれは補正することができない。また、上記所定期間を超える期間においても、複数の記録計間で電源周期が上記規定の範囲内でずれているような場合、測定期間が経過するにしたがって複数の記録計間の時刻にずれが生じ、正確に時刻を一致させることができない場合がある。
【００１２】
本発明は、上記課題を解決するためになされたものであり、その主な目的は、低圧電路に複数の記録計を取り付けて測定を行う場合において、より正確に測定時刻を一致させて測定することができる記録計及び測定システムを提供することにある。
【課題を解決するための手段】
【００１３】
本発明に係る測定システムは、低圧電路のうちの異なる場所に取り付けられた複数の記録計を備えた測定システムにおいて、各記録計が電源周波数に基づいて時刻を刻む周波数時計を備え、複数の記録計の周波数時計は、それぞれ、同一電源の電源電圧から抽出された電源周波数に基づいて時刻を刻むように構成した。
【００１４】
すわなち、本発明の第１態様では、低圧電路のうちの異なる場所に取り付けられた複数の記録計を備えた測定システムであって、前記各記録計は、電源周波数に基づいて時刻を刻む周波数時計と、前記取付場所の電圧及び電流の少なくとも一方を測定する測定部と、データを記憶する記憶部と、前記測定部で測定された測定データを前記周波数時計の時刻に基づいて所定回数又は所定期間にわたって前記記憶部に記憶させる制御部とを備え、前記複数の記録計の周波数時計は、それぞれ、同一電源の電源電圧から抽出された電源周波数に基づいて時刻を刻むように構成されている。
【００１５】
この態様によると、各記録計は、同一電源の電源周波数に基づいて所定回数又は所定期間にわたる測定を行うように構成されているため、仮に測定中に負荷の変動等により電源にノイズが混入したり、電源周波数に微小の揺らぎがあったりして周波数時計が標準時刻（例えば、日本標準時）からずれるような場合においても、複数の記録計の周波数時計の時刻が一様にずれるため、記録計間での時刻のずれがない状態で測定を継続することができる。これにより、より正確な測定データの解析等ができるようになる。また、記録計間で時刻の一致を取るのに際して、各記録計間でサンプリング信号等の特別な信号の受け渡しをする必要がない。
【００１６】
上記態様の測定システムにおいて、前記各記録計と双方向の無線通信が可能に構成され、かつ、内部時計を有する端末装置を備え、前記各記録計は、前記端末装置との間でデータ送受信をする無線通信部をさらに備え、前記端末装置が、該内部時計の現在時刻を前記各記録計に無線送信し、前記各記録計の制御部が、前記無線通信部を介して前記端末装置から受信した前記内部時計の現在時刻を前記周波数時計の時刻に反映し、該反映後に前記周波数時計の時刻に基づいて前記測定部で測定された測定データを前記記憶部に記憶させる、ように構成されていてもよい。
【００１７】
この態様によると、各記録計が、端末装置から受信した内部時計の現在時刻を周波数時計の時刻に反映させてから周波数時計の時刻に基づく測定を開始するため、測定開始時点での各記録計間の時刻をより正確に一致させることができる。ここで、仮に、端末装置の時刻が標準時刻からずれているような場合においても、各記録計間の測定開始時刻は一致する。したがって、端末装置の時刻と標準時刻との関係に拘わらず、各記録計の測定データ間での時刻ずれがない状態で測定を開始することができる。なお、端末装置の時刻が標準時刻と一致している場合には、複数の記録計は標準時刻に基づく測定を行うことができ、その方が好ましい。
【００１８】
上記態様の測定システムにおいて、前記端末装置は、前記内部時計の現在時刻に加えて、測定開始時刻を前記各記録計に無線送信するように構成されており、前記各記録計の制御部は、前記内部時計の現在時刻を前記周波数時計の時刻に反映した後に、前記測定開始時刻から前記周波数時計の時刻に基づいて前記測定部で測定された測定データを前記記憶部に記憶させる、ように構成されていてもよい。
【００１９】
この態様によると、記録計は、測定開始時刻から測定を開始するように構成されているため、測定開始に先立って端末装置から各記録計に内部時計の現在時刻を設定することができる。これにより、測定時刻の管理が容易になるとともに、例えば、作業者が端末装置で記録計毎の受信状況を個別に確認しながら順をおって時刻送付（時刻合わせ）をすることができるようになる。すなわち、作業者の利便性が向上するとともに、複数の記録計の時刻設定が終了してから測定を開始させるようにすることができる。
【００２０】
上記態様の測定システムにおいて、前記記録計は、時刻データを生成するリアルタイムクロック回路をさらに備えており、前記記録計の制御部は、所定の時間毎に前記周波数時計の時刻を前記リアルタイムクロック回路の時刻に反映し、かつ、前記電源周波数が所定の周波数範囲から外れた場合に、前記測定部による測定を、前記周波数時計の時刻に基づく測定から前記リアルタイムクロック回路の時刻に基づく測定に切り替える、ように構成されていてもよい。
【００２１】
この態様によると、例えば、部品や回路等の製造ばらつき等により、仮に各記録計間でリアルタイムクロック回路の時刻にずれが生じるような場合でも、所定期間毎にリアルタイムクロック回路の時刻を、記録計間で揃った時刻に補正することができる。これにより、仮に停電が発生した場合においても、復電後に測定を継続させることができる。これにより、本態様に係る記録計は、通常動作時における複数の記録計間での時刻一致を取りつつ、非常時等においてもできるだけ少ない時刻誤差で測定を継続させることができる。
【００２２】
なお、上記態様では、電源ノイズが混入した場合においても、複数の記録計の周波数時計がそのノイズに応じて一様にずれるため、リアルタイムクロック回路に切り替えなくても、記録計間での時刻のずれがない状態で測定を継続することができる。一方で、記録計の制御部が、リアルタイムクロック回路への切り替えができることで、通常動作時における複数の記録計間での正確な時刻一致を実現しつつ、仮に電源ノイズが混入した場合には標準時刻からのずれを極力排除して測定を継続することができる利点がある。
【００２３】
上記態様の測定システムにおいて、前記端末装置は、データを表示可能な表示部と、前記各記録計の測定部で測定された測定データを無線通信で収集し、かつ、前記表示部に対して、前記各記録計の測定データ及び該測定データに基づいて算出された加工データの少なくとも一方である波形データを同一時間軸上に重ねて表示させる端末制御部とを備える、ように構成されていてもよい。
【００２４】
この態様によると、端末装置が各記録計から受けた測定データに基づく波形データを同一時間軸上に重ねて表示させることができるため、各測定地点での電圧変動状態及び負荷電流状態等の変動状態（以下、電圧等変動状態ともいう）の対比確認が容易になる。また、例えば、作業者が電力需要者に該変動状況等を説明する場合に、上記波形データを示して説明を行うことができ、説明が容易になり、かつ、電力需要者にとってもわかりやすい説明を行うことができる利点がある。
【００２５】
上記態様の測定システムにおいて、前記端末装置の表示部は、前記波形データを同一時間軸上に重ねて表示可能に構成された第１表示部と、前記第１表示部に表示させる波形データとは異なる前記波形データを同一時間軸上に重ねて表示可能に構成された第２表示部とを備え、前記第１表示部と前記第２表示部とは、画面横方向における時刻が揃うように上下方向に並べて配設されている、ように構成されていてもよい。
【００２６】
この態様によると、例えば、第１表示部に電圧変動状態を表示し、第２表示部に負荷電流状態を表示させたときに、画面横方向における時刻が揃うため、第１表示部に表示したデータと、第２表示部に表示したデータとを同一時間軸上で対比しながら確認することができる。これにより、例えば、電圧変動と電流変動のように、相関関係にあるような項目の波形を、表示を分けてかつ時間軸を揃えて表示させることができるため、対応関係の確認や、該対応関係を用いた説明が容易になるとともに、電力需要者にとってもわかりやすい説明を行うことができる利点がある。
【００２７】
本発明の第２態様では、低圧電路に取り付けられた記録計であって、電源周波数に基づいて時刻を刻む周波数時計と、前記取付場所の電圧及び電流の少なくとも一方を測定する測定部と、データを記憶する記憶部と、前記測定部で測定された測定データを前記周波数時計の時刻に基づいて所定回数又は所定期間にわたって前記記憶部に記憶させる制御部とを備え、前記記録計の周波数時計は、低圧電路のうちの異なる場所に取り付けられた同じ構成を有する他の記録計と同一電源の電源電圧から抽出された電源周波数に基づいて時刻を刻むように構成されている。
【００２８】
この態様によると、記録計は、他の記録計と同一電源の電源周波数に基づいて所定回数又は所定期間にわたる測定を行うように構成されているため、仮に測定中に電源にノイズが混入したり、電源周波数に微小の揺らぎがあったりして周波数時計が標準時刻（例えば、日本標準時）からずれるような場合においても、他の記録計との間での時刻のずれがない状態で測定を継続することができる。これにより、例えば、測定後に外部の機器から測定データを収集する場合に、他の記録計と間で時刻の一致が取れたデータを提供することができる。
【００２９】
上記態様の記録計において、測定データを収集する端末装置との間でデータの送受信を行う無線通信部を備え、前記制御部は、前記無線通信部を介して前記端末装置から該端末装置が有する内部時計の現在時刻を受けた場合に、該現在時刻を前記周波数時計の時刻に反映し、該反映後に前記周波数時計の時刻に基づいて前記測定部で測定された測定データを前記記憶部に記憶させる、ように構成されていてもよい。
【００３０】
この態様によると、記録計は、端末装置から受信した内部時計の現在時刻を周波数時計の時刻に反映させてから周波数時計の時刻に基づく測定を開始するため、測定開始時点での時刻を端末装置の内部時計の時刻に一致させた状態で測定を開始することができる。これにより、本開示に係る記録計は、端末装置による測定データの確認や解析等が容易な測定データを提供することができる。さらに、例えば、複数の記録計を用いた測定を実施する場合に、測定開始時点における該複数の記録計の時刻を端末装置の内部時計の時刻に一致させることができ、複数の記録計間の測定時刻のずれをより確実に防止することができる。
【発明の効果】
【００３１】
本発明によると、配電経路上の異なる複数の地点に記録計を設置して測定を行う場合において、簡易な構成でより正確に測定時刻を一致させて測定することができる。
【図面の簡単な説明】
【００３２】
【図１】実施形態に係る測定システムを含む全体構成図である。
【図２】記録計の接続状態を示すブロック図である。
【図３】端末装置の接続状態を示すブロック図である。
【図４】記録計の時計設定の流れを示すフローチャートである。
【図５】測定システムの測定に係る処理の流れを示すフローチャートである。
【図６】測定結果の表示画面の一例を示した図である。
【発明を実施するための形態】
【００３３】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００３４】
図１に示すように、本態様に係る複数の記録計１，１，…は、低圧電路９０のうちの異なる場所に取り付けられている。図１の例では、記録計１は、柱上変圧器９２の二次側（低圧配電線９３側）の接続端子、引込分岐点９４の接続端子及び計器取付点９５における接続端子に接続されている。より具体的には、記録計１には、後述する電圧端子２６に電圧測定ケーブルの基端部が接続され、後述する電流端子２５（２５ａ，２５ｂ，２５ｃ）に電流測定ケーブルの基端部が接続されており、それぞれのケーブルの先端に設けられた検出部（図示しない）が、各取付場所において低圧電路９０の電圧及び電流を測定できるように取り付けられている。なお、本開示において、低圧電路９０とは、高圧配電線９１と低圧配電線９３との間に接続された柱上変圧器９２の低圧電線側の端子から引込分岐点９４を介して計器取付点９５までの低圧配電経路９７及び屋内配線経路９６を含む概念である。また、屋内配線経路９６とは、電力量計９９が取り付けられた計器取付点９５よりも屋内側の配線経路であり、太陽光発電装置８３が接続されたパワーコンディショナーから分電盤８５までの間の配線経路や分電盤８５から各負荷までの配線経路を含む概念である。また、以下の実施形態では、測定対象の配電経路は、単相／三相３線式であるものとして説明する。
【００３５】
（記録計の構成）
図２に示すように、記録計１には、基板１０に設けられた電流端子２５及び電圧端子２６が設けられており、これらの端子２５，２６から低圧電路９０の電流信号Ｉ１〜Ｉ３及び電圧Ｐ１〜Ｐ３が入力される。電流信号Ｉ１〜Ｉ３は、検知部の電流測定レンジに応じて切り替え可能に構成された負担抵抗を有する電流入力回路１１を介して測定部１２に入力される。電圧Ｐ１〜Ｐ３は、直接又は分圧されて測定部に入力される。
【００３６】
測定部１２は、電流信号Ｉ１〜Ｉ３及び電圧Ｐ１〜Ｐ３を受けて、Ａ／Ｄ（Analog/Digital)変換し、測定結果をデジタル信号としてＣＰＵ１３に出力する。なお、測定部１２によるサンプリング周期は任意に設定することが可能である。また、測定部１２が、電流信号Ｉ１〜Ｉ３及び電圧Ｐ１〜Ｐ３のうちいずれか一方を測定するように構成されていてもよい。
【００３７】
ＣＰＵ１３は、測定動作に係る各種設定の変更や測定データの取得、記録、送信等の各種制御を行う。また、操作部３２や外部機器からの設定や予め定められた設定に基づいて、表示部３１に対して、電圧Ｐ１〜Ｐ３や電流信号Ｉ１〜Ｉ３に基づく現在の測定値や、各種設定情報を表示する制御を行う。また、ＣＰＵ１３は、電圧端子２６のうちのいずれかから入力された電圧（例えばＰ１）を周波数カウント用のＡ／Ｄ変換回路１７でデジタル変換し、該電圧（電源周波数）に基づいて時刻を刻むように構成されている。本開示に係る周波数時計とは、このように低圧電路から受けた電圧から抽出された電源周波数に基づいて時刻を刻む構成を指すものとする。
【００３８】
無線通信部１６は、後述する端末装置（例えば、タブレット端末）４０の無線通信部４２と双方向データ通信が可能に構成されている。無線通信部１６は、例えば端末装置４０から各種設定情報等を受信し、測定データ等を端末装置４０に送信する。具体的には、自機の存在を示すビーコン信号を発信したり、端末装置４０から受けた測定データ要求に応じてＣＰＵ１３から受けた測定データを端末装置４０に送信したりする。
【００３９】
基板１０に設けられた各回路の電源は、電源部１５から供給されており、電源部１５は、電圧Ｐ１，Ｐ２を受けて、ＤＣ電源を生成している。また、記録計１は、内部時計としてＣＰＵ１３に接続されたリアルタイムクロック回路（以下、ＲＴＣ回路ともいう）１８を備えており、内蔵電池１９からの電源を受けて動作する。
【００４０】
（端末装置の構成）
図３に示すように、作業者等が使用する端末装置４０には、各記録計１が有する無線通信部１６と双方向データ通信が可能に構成された無線通信部４２と、無線通信部４２の通信を制御するＣＰＵ４３とを備えている。各記録計１の無線通信部１６と送受信するデータは、前述のとおりである。
【００４１】
ＣＰＵ４３は、各種制御を行う。具体的には、各記録計１に対して測定動作に係る各種設定の変更を行う、各記録計１から測定データを取得する、該取得した測定データをメモリ４４に記録させる、メモリ４４に記録されている測定データを加工等してタッチパネル４１の表示部４１ａに表示させる等の各種制御を行う。ＣＰＵ４３から記録計に送信するデータ（情報）は、例えば、端末装置４０から時刻情報、測定周期情報、電流測定レンジの設定情報等の各種設定情報等が含まれる。また、各記録計１に対してデータ要求信号等を送信して、各記録計１に測定データの送信要求を行う。
【００４２】
（記録計の時計設定及び測定（１））
以下において、図４を参照しながら、記録計１の時計設定フロー及び電圧、電流の測定フローの一例について詳細に説明する。なお、本「記録計の時計設定及び測定（１）」では、測定開始時点において、複数の記録計１，１，…のすべてのＲＴＣ回路１８の時刻が一致しているものとする。
【００４３】
まず、作業者は、複数の記録計１，１，…を各測定場所に設置し、電圧測定ケーブル及び電流測定ケーブルの検出部を低圧電路９０に取り付ける。
【００４４】
各記録計１では、上記検出部が低圧電路９０に取り付けられると、ＣＰＵ１３が、Ａ／Ｄ変換回路１７の出力結果に基づいて、周波数判定（５０Ｈｚ／６０Ｈｚ）を行う（Ｓ１１）。具体的には、電源周波数が、５０Ｈｚまたは６０Ｈｚに対して所定の範囲内に収まっているかを確認し、接続されている低圧電路の電源周波数（５０Ｈｚまたは６０Ｈｚ）を確定させる。
【００４５】
Ｓ１１で周波数判定が確定すると、ＲＴＣ回路１８の時刻が周波数時計に反映され（Ｓ１２）、その後、ＣＰＵ１３が周波数時計に基づく時刻と、該時刻における測定データをメモリ１４に記憶させ（Ｓ１３）、データ取得回数（記憶されたデータ数）が所定の回数（所定のデータ数）に到達したか否かを判定する（Ｓ１４）。
【００４６】
データ取得回数が所定の回数未満の場合（Ｓ１４でＮｏ）、測定場所に係る低圧電路の電源周波数が所定の範囲以内に収まっているか否かが確認され（Ｓ１５）、正常であれば、時計更新時間が経過したか否かが確認される（Ｓ１６）。そして、データ取得回数が所定の回数に到達するか（Ｓ１４でＹｅｓ）、または時計更新時間が経過するまでの間（Ｓ１６でＮｏ）、フローはＳ１３からＳ１６の処理を繰り返し実施する。すなわち、ＣＰＵ１３は周波数時計の時刻に基づいて所定時間毎に所定回数に到達するまで測定データを記憶部に蓄積する。
【００４７】
一方で、Ｓ１６において時計更新時間が経過したとき（Ｓ１６でＹｅｓ）、周波数時計の時刻がＲＴＣ回路１８の時刻に反映され（Ｓ１７）、フローはＳ１３に戻る。これにより、時計更新時間毎にＲＴＣ回路１８の時刻を周波数時計の時刻にアップデートすることができる。
【００４８】
また、Ｓ１１において周波数判定が未確定である場合、またはＳ１５で測定場所に係る低圧電路９０の電源周波数が所定の範囲から外れている場合（異常の場合）、ＣＰＵ１３は、ＲＴＣ回路１８の所定の時刻毎に、ＲＴＣ回路１８の時刻と、該時刻における測定データをメモリ１４に記憶させる。
【００４９】
そして、複数の記録計１，１，…が、上記のフローを各測定場所においてそれぞれに実施する。そして、通常のフロー（Ｓ１３からＳ１６が繰り返し実施されて測定が完了した場合）において、例えば、作業者が測定開始から十分な期間が経過した後（測定完了後）に、端末装置４０等を用いて記録計１に測定データを要求すると、各記録計１から周波数時計の時刻に基づいて所定回数にわたって記憶されたデータを取得することができる。
【００５０】
ここで、各記録計１の周波数時計は、それぞれ、同一電源（同一低圧電路上）の電圧から抽出された電源周波数に基づいて時刻を刻むように構成されているため、仮に各記録計１での測定中に電源にノイズが混入したり、電源周波数に微小の揺らぎがあったりして周波数時計が標準時刻（例えば、日本標準時）からずれるような場合においても、複数の記録計１の周波数時計の時刻が一様にずれるため、記録計１間での時刻のずれがない状態で測定を継続することができる。これにより、より正確に測定時刻を一致させて電圧、電流等の測定することができ、より正確な測定データの解析、表示等ができるようになる。
【００５１】
また、低圧電路９０の電源周波数が所定の範囲から外れている場合に、ＣＰＵ１３が周波数時計によって補正されたＲＴＣ回路１８の時刻に基づいて測定データを記録するようにしているため、通常動作時における複数の記録計間での時刻一致を取りつつ、異常時にもできるだけ少ない時刻誤差で測定を継続させることができる。
【００５２】
なお、本発明では、電源ノイズが混入した場合においても、複数の記録計１，１，…の周波数時計がそのノイズに応じて一様にずれるため、Ｓ１５の分岐及びＳ１８の処理はなくてもかまわない。ただし、上記Ｓ１５の分岐及びＳ１８の処理を設けることにより、通常動作時における複数の記録計間での正確な時刻一致を実現しつつ、仮に電源ノイズが混入した場合には標準時刻からのずれを極力排除して測定を継続したいというニーズがある場合等に有用である。
【００５３】
（記録計の時計設定及び測定（２））
次に、図５を参照しながら、記録計１の時計設定フロー及び電圧、電流の測定フローの他の例について詳細に説明する。なお、Ｓ１１，Ｓ１２，Ｓ１５〜Ｓ１８については、図４のフローと同一又は類似であり、その詳細な説明を省略する場合がある。
【００５４】
まず、作業者は、複数の記録計１，１，…を各測定場所に設置し、電圧測定ケーブル及び電流測定ケーブルの検出部を低圧電路９０に取り付ける。すると、各記録計では、図４のＳ１１及びＳ１２の処理が行われる。
【００５５】
次に、作業者は、端末装置４０の操作部４１ｂを操作して、端末装置４０の内部時計の時刻及び測定開始時刻を複数の記録計１，１，…に順次送信する（Ｓ２１）。このとき、各記録計１は、ビーコン発信（Ｓ３０）をしており、作業者は、端末装置４０上で設置した記録計１のうち、通信可能な記録計１を確認し（Ｓ２０）、該通信可能な記録計１のうちから所望の記録計１に内部時計の時刻を送信する。
【００５６】
端末装置４０の時刻を受信した各記録計１は、受信した端末時刻を周波数時計の時刻及びＲＴＣ回路１８の時刻に反映させ（Ｓ３１）、測定部１２に電圧、電流等の測定をさせる（Ｓ３２）。Ｓ３２では、ＣＰＵ１３は、測定部１２に電圧、電流等の測定はさせるが、メモリ１４への測定結果の記憶は行わない。そして、各記録計１のＣＰＵ１３は、測定開始時刻（図５では予約時刻）までの間（Ｓ３３でＮｏ）、上記Ｓ３２の測定を繰り返す。このとき、ＣＰＵ１３は、表示部３１に該Ｓ３２での測定結果を表示させてもよい。
【００５７】
その後、測定開始時刻になると（Ｓ３３でＹｅｓ）、各記録計１では、所定時間毎に所定回数に到達するまで、継続して測定データが記憶部に蓄積される（Ｓ３４）。そして、所定回数の測定データの記録が完了すると（Ｓ３５でＹｅｓ）、記録計１は測定データの送信可能な待機状態になる（Ｓ３６）。このとき、図４のＳ１５及びＳ１６の判定も並行して実施されており、必要に応じてフローはＳ１７，Ｓ１８に移行する。
【００５８】
次に、作業者は、測定開始から十分な期間が経過した後（測定完了後）に、端末装置４０等を用いて記録計１からのビーコン受信を行い、通信可能な記録計１を確認するとともに、測定が完了しているか否かを確認する（Ｓ２２）。その後、作業者は、端末装置４０の操作部４１ｂを操作して、各記録計１に測定データを要求すると（Ｓ２３）、各記録計１から端末装置４０に対して、周波数時計の時刻に基づいて所定回数にわたって記憶されたデータが送信される（Ｓ３７）。端末装置４０に回収された測定データは、メモリ４４に記憶され（Ｓ２４）、作業者の操作等に応じて表示部４１ａに表示される（Ｓ２５）。
【００５９】
図６は、タッチパネル４１への測定データの表示例を示した図である。図６（ａ）の上段は複数の記録計１，１，…の電圧波形を重ねて表示している例を示しており、実線が引込分岐点９４、破線が柱上変圧器９２の二次側、二点鎖線が計器取付点９５の電圧波形をそれぞれ表示している。図６（ａ）の下段は計器取付点９５の潮流の大きさと潮流方向と併せて表示した波形である。また、図６（ｂ）は、各時刻における複数の記録計１，１，…の電力量を棒グラフで並べて表示している例を示しており、右下がり斜線が引込分岐点９４の順方向電力量、黒塗りが計器取付点９５の順方向電力量、白抜きが計器取付点９５の逆方向電力量をそれぞれ表示している。
【００６０】
図６（ａ）に示すように、各記録計１から受けた測定データに基づく波形データ（電圧）を同一時間軸上に重ねて表示させることにより、電圧等変動状態の対比確認が容易になっている。また、各記録計１の設置場所における電圧波形と、逆潮流波形をタッチパネル４１の画面横方向の時刻が揃うように上下方向に並べて表示させることにより、各測定場所の電圧と、逆潮流との関係が容易に把握できる。なお、図６（ｂ）に示すように、棒グラフで表示してもよく、同一記録計１の複数の測定データを重ねて表示させるようにしてもよい。
【００６１】
以上のように、本態様によると、各記録計１が、端末装置４０から受信した内部時計の現在時刻を周波数時計の時刻に反映させてから周波数時計の時刻に基づく測定を開始するため、測定開始時点での各記録計１間の時刻をより正確に一致させることができる。また、各記録計１が端末装置４０から指定された測定開始時刻から測定を開始するように構成されているため、測定時刻の管理が容易になる。
【００６２】
また、各記録計１からアプリケーションレベルでビーコンを通知することにより、端末装置側で記録計１の存在を認識しながらデータ回収や動作モードの設定ができる。さらに、上記ビーコンを使用することにより、端末装置には各記録計１の情報を予め登録する必要がなくなり、不特定の記録計１に対してデータ回収や動作モードの設定が可能になる。
【００６３】
以上、本発明の好ましい実施形態を説明してきたが、種々の改変が可能である。
【００６４】
−変形例−
例えば、本実施形態では、測定対象である低圧電路９０は、単相／三相３線式であるものとして説明したが、これに限定されず、本発明に係る記録計１及び測定システムは単相２線式の低圧電路９０にも適用することが可能である。
【００６５】
また、図６（ａ）の電圧波形や潮流（電流波形）に代えて、力率、位相、電力等の波形を表示してもよい。また、図６（ｂ）において、電力量の示した棒グラフを上段に表示し、下段に電圧、潮流（電流）、力率、位相、電力等の波形を表示させるようにしてもよい。
【産業上の利用可能性】
【００６６】
本発明に係る記録計は、簡易な構成でより正確に測定時刻を一致させて測定することができるため、低圧電路の電圧変動状態等を測定する記録計として極めて有用である。
【符号の説明】
【００６７】
１  記録計
１２  測定部
１３  ＣＰＵ（制御部）
１４  メモリ（記憶部）
１６  無線通信部
１８  リアルタイムクロック回路
２２ａ  溝部
２２ｂ  板状閉部
３３  ベルト
４０  端末装置
４１ａ  表示部
４３  ＣＰＵ（端末制御部）
【図１】
0006559982.tif 000002
【図２】
0006559982.tif 000003
【図３】
0006559982.tif 000004
【図４】
0006559982.tif 000005
【図５】
0006559982.tif 000006
【図６】
0006559982.tif 000007